【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
第１の非対称端子および第２の非対称端子と、
前記第１の非対称端子の第１の側面に一端で電気的に結合された第１のエリアおよび前記第１の側面に、且つ前記第１の非対称端子の第３の側面から遠位の且つ前記第１の側面に隣接した第２の側面の長さに沿って、電気的に結合するように延長された第２のエリアを含み、前記第１の非対称端子の前記第３の側面の長さが、前記第１の非対称端子の前記第２の側面の長さよりも短い、複数の第１の内部電極と、
前記第２の非対称端子の第１の側面に一端で電気的に結合された第３のエリアおよび前記第２の非対称端子の前記第１の側面に、且つ前記第２の非対称端子の前記第３の側面から遠位の且つ前記第１の側面に隣接した第２の側面の長さに沿って、電気的に結合するように延長された第４のエリアを含み、前記第２の非対称端子の前記第３の側面の長さが、前記第２の非対称端子の前記第２の側面の長さよりも短い、複数の第２の内部電極と
を備える受動ディスクリートデバイス。
【請求項２】
前記複数の第１の内部電極および前記複数の第２の内部電極が、積層セラミックコンデンサのコンデンサ板を含む、請求項１に記載の受動ディスクリートデバイス。
【請求項３】
前記第１の非対称端子および前記第２の非対称端子が、積層セラミックコンデンサの端子を含む、請求項１に記載の受動ディスクリートデバイス。
【請求項４】
前記第１の非対称端子の前記第１の側面の長さが、前記第２の非対称端子の前記第１の側面の長さと等しく、前記第１の非対称端子の前記第２の側面の長さが、前記第２の非対称端子の前記第２の側面の長さと等しい、請求項１に記載の受動ディスクリートデバイス。
【請求項５】
前記複数の第１の内部電極および前記複数の第２の内部電極を囲む矩形の積層セラミック体をさらに備え、前記第１の非対称端子の前記第１の側面が、前記矩形の積層セラミック体の長手方向の端部に結合され、前記第２の非対称端子の前記第１の側面が、前記矩形の積層セラミック体の対向する長手方向の端部に結合された、請求項１に記載の受動ディスクリートデバイス。
【請求項６】
音楽プレーヤ、ビデオプレーヤ、エンターテインメントユニット、ナビゲーションデバイス、通信デバイス、パーソナルデジタルアシスタント（ＰＤＡ）、固定位置データユニット、およびコンピュータ、のうちの少なくとも１つに組み込まれた、請求項１に記載の受動ディスクリートデバイス。
【請求項７】
受動ディスクリートデバイスを作製する方法であって、
複数の第１の内部電極および複数の第２の内部電極を積層セラミック体内でめっきするステップと、
前記積層セラミック体を非直交角度で浸漬して、第１の非対称端子および第２の非対称端子を画定するステップと、
前記第１の非対称端子をめっきして、前記複数の第１の内部電極を前記第１の非対称端子の第１の側面において電気的に結合し、且つ前記第１の非対称端子の第３の側面から遠位の第２の側面の長さに沿って前記複数の第１の内部電極を電気的に結合するステップであって、前記第１の非対称端子の前記第３の側面の長さが、前記第１の非対称端子の前記第２の側面の長さよりも短い、ステップと、
前記第２の非対称端子をめっきして、前記複数の第２の内部電極を前記第２の非対称端子の第１の側面において電気的に結合し、且つ前記第２の非対称端子の第３の側面から遠位の第２の側面の長さに沿って前記複数の第２の内部電極を電気的に結合するステップであって、前記第２の非対称端子の前記第３の側面の長さが、前記第２の非対称端子の前記第２の側面の長さよりも短い、ステップと
を含む方法。
【請求項８】
前記複数の第１の内部電極および前記複数の第２の内部電極をめっきする前記ステップが、
前記複数の第１の内部電極のうちの１つを、第１のセラミック層上にプリントし、前記第１のセラミック層の第１の縁部および第２の縁部まで延長するステップと、
前記複数の第２の内部電極のうちの１つを、第２のセラミック層上にプリントし、前記第１のセラミック層の前記第１の縁部および前記第２の縁部から遠位の、前記第２のセラミック層の隣接する縁部まで延長するステップと、
前記第１のセラミック層を前記第２のセラミック層上に積み重ねるステップと
を含む、請求項７に記載の方法。
【請求項９】
前記受動ディスクリートデバイスを、音楽プレーヤ、ビデオプレーヤ、エンターテインメントユニット、ナビゲーションデバイス、通信デバイス、パーソナルデジタルアシスタント（ＰＤＡ）、固定位置データユニット、およびコンピュータ、のうちの少なくとも１つに組み込むステップをさらに含む、請求項７に記載の方法。
【請求項１０】
第１の非対称端子および第２の非対称端子と、
第１の側面に、且つ前記第１の非対称端子の第３の側面から遠位の且つ前記第１の側面に隣接した第２の側面の長さに沿って、電気的に結合されて延長するための第１の手段を含み、前記第１の非対称端子の前記第３の側面の長さが、前記第１の非対称端子の前記第２の側面の長さよりも短い、前記第１の非対称端子の第１の側面に電気的に結合するための第１の手段と、
第１の側面に、且つ前記第２の非対称端子の第３の側面から遠位の且つ前記第１の側面に隣接した第２の側面の長さに沿って、電気的に結合されて延長するための第２の手段を含み、前記第２の非対称端子の前記第３の側面の長さが、前記第２の非対称端子の前記第２の側面の長さよりも短い、前記第２の非対称端子の第１の側面に電気的に結合するための第２の手段と
を備える受動ディスクリートデバイス。
【請求項１１】
電気的に結合するための前記第１の手段および前記第２の手段が、積層セラミックコンデンサのコンデンサ板を含む、請求項１０に記載の受動ディスクリートデバイス。
【請求項１２】
前記第１の非対称端子および前記第２の非対称端子が、積層セラミックコンデンサの端子を含む、請求項１０に記載の受動ディスクリートデバイス。
【請求項１３】
前記第１の非対称端子の前記第１の側面の長さが、前記第２の非対称端子の前記第１の側面の長さと等しく、前記第１の非対称端子の前記第２の側面の長さが、前記第２の非対称端子の前記第２の側面の長さと等しい、請求項１０に記載の受動ディスクリートデバイス。
【請求項１４】
電気的に結合するための前記第１の手段および前記第２の手段を囲む矩形の積層セラミック体をさらに備え、前記第１の非対称端子の前記第１の側面が、前記矩形の積層セラミック体の長手方向の端部に結合され、前記第２の非対称端子の前記第１の側面が、前記矩形の積層セラミック体の対向する長手方向の端部に結合された、請求項１０に記載の受動ディスクリートデバイス。
【請求項１５】
音楽プレーヤ、ビデオプレーヤ、エンターテインメントユニット、ナビゲーションデバイス、通信デバイス、パーソナルデジタルアシスタント（ＰＤＡ）、固定位置データユニット、およびコンピュータ、のうちの少なくとも１つに組み込まれた、請求項１０に記載の受動ディスクリートデバイス。
【請求項１６】
受動ディスクリートデバイスを作製する方法であって、
複数の第１の内部電極および複数の第２の内部電極を積層セラミック体内でめっきするためのステップと、
前記積層セラミック体を非直交角度で浸漬して、第１の非対称端子および第２の非対称端子を画定するためのステップと、
前記第１の非対称端子をめっきして、前記複数の第１の内部電極を前記第１の非対称端子の第１の側面において電気的に結合し、且つ前記第１の非対称端子の第３の側面から遠位の第２の側面の長さに沿って前記複数の第１の内部電極を電気的に結合するためのステップであって、前記第１の非対称端子の前記第３の側面の長さが、前記第１の非対称端子の前記第２の側面の長さよりも短い、ステップと、
前記第２の非対称端子をめっきして、前記複数の第２の内部電極を前記第２の非対称端子の第１の側面において電気的に結合し、且つ前記第２の非対称端子の第３の側面から遠位の第２の側面の長さに沿って前記複数の第２の内部電極を電気的に結合するためのステップであって、前記第２の非対称端子の前記第３の側面の長さが、前記第２の非対称端子の前記第２の側面の長さよりも短い、ステップと
を含む方法。
【請求項１７】
前記複数の第１の内部電極および前記複数の第２の内部電極をめっきするための前記ステップが、
前記複数の第１の内部電極のうちの１つを、第１のセラミック層上にプリントし、前記第１のセラミック層の第１の縁部および第２の縁部まで延長するためのステップと、
前記複数の第２の内部電極のうちの１つを、第２のセラミック層上にプリントし、前記第１のセラミック層の前記第１の縁部および前記第２の縁部から遠位の、前記第２のセラミック層の隣接する縁部まで延長するためのステップと、
前記第１のセラミック層を前記第２のセラミック層上に積み重ねるためのステップと
を含む、請求項１６に記載の方法。
【請求項１８】
前記受動ディスクリートデバイスを、音楽プレーヤ、ビデオプレーヤ、エンターテインメントユニット、ナビゲーションデバイス、通信デバイス、パーソナルデジタルアシスタント（ＰＤＡ）、固定位置データユニット、およびコンピュータ、のうちの少なくとも１つに組み込むためのステップをさらに含む、請求項１６に記載の方法。